(57)【特許請求の範囲】
【請求項１】
写真レンズを通して取得した像を画像信号に変換する撮像手段と、画像信号を記録する記録手段と、記録した画像データなどを表示する表示手段と、外部表示装置へ表示させる画像データや各種制御信号を外部へ送るインターフェース手段と、前記外部表示装置に表示された画像データに対するトリミング処理を筐体の動きや傾きで制御するために該筐体の動きや傾きを検出する位置検出手段と、前記筐体の動きを前記位置検出手段の出力に基づき解析して前記トリミング処理の実行命令を制御信号として生成する情報処理手段と、を備えたデジタルカメラにおいて、前記表示手段が、前記トリミング処理を前記筐体の動きで実行する際の画像加工の種類を示すアイコンを表示することを特徴とするデジタルカメラ。
【請求項２】
前記トリミング処理が終了したことを音声で告知する請求項１に記載のデジタルカメラ。
【請求項３】
前記トリミング処理が終了すると、前記表示手段及び前記外部表示装置の少なくとも一方で前記トリミング処理の終了を確認する表示を行う請求項１に記載のデジタルカメラ。
【請求項４】
請求項１から３のいずれか１つに記載のデジタルカメラと、前記デジタルカメラからの画像データや各種制御信号を受けるためのインターフェース手段及び前記画像データを蓄積する蓄積手段を備えた外部装置と、前記外部装置に接続され前記画像データを表示するテレビ受像機などの外部表示装置と、を備えたことを特徴とするデジタルカメラシステム。
【発明の詳細な説明】
【０００１】
【発明の属する技術分野】
本発明は、撮影した画像をパソコンの介在なしで外部へ表示したり蓄積するシステムに適用されるデジタルカメラに関し、特に、表示した画像データの加工処理のためのインターフェースに係る。
【０００２】
【従来の技術】
デジタルカメラは、撮影したその場でカメラ本体の表示手段に画像を再生できることや、画像データをパソコンなどに取り込めば、撮影者が自ら画像の加工や編集を行えることなどから、その利用が急速に高まっている。
【０００３】
ところで、画像の加工や編集は、デジタルカメラをパソコンに接続したり、あるいは画像ファイルを記録した記録媒体をパソコンにセットしたりして、画像データをパソコン側に転送してから専用のソフトウェアを使用して行う必要がある。そのため、手元に適当なパソコンがないか、あっても所要の画像処理ソフトウェアがインストールされていない場合、若しくはインターフェースケーブルなどの付属品が見当たらない場合には、画像の加工や編集を行うことは不可能で、しかも、パソコンの操作に不慣れな使用者には困難を伴うという課題があった。
【０００４】
また、パソコン操作を必要とせず、カメラや携帯端末等の筐体の動きで操作する方法も提案されている。この方法ではパソコンに係る面倒な操作などが不要となるが、限られた数のボタンやスイッチに複数の機能を兼用させているカメラ等では所望の処理を選択確定するまでの操作が複雑となり、またそれらの操作も類似しているため操作者がその方法を覚え難いという課題があった。
【０００５】
【発明が解決しようとする課題】
そこで本発明は、撮影した画像を外部へ表示した画像データに対する処理の際に、現在実行している処理の種類が容易に把握できるデジタルカメラを提供することを目的とする。
【０００６】
【課題を解決するための手段】
本発明は上述の課題を解決するために、写真レンズを通して取得した像を画像信号に変換する撮像手段（撮像手段１１）と、画像信号を記録する記録手段（記録手段１３）と、記録した画像データなどを表示する表示手段（表示手段１４）と、外部表示装置へ表示させる画像データや各種制御信号を外部へ送るインターフェース手段（画像送受信手段１７）と、前記外部表示装置に表示された画像データに対するトリミングなどの画像加工処理を筐体の動きや傾きで制御するために該筐体の動きや傾きを検出する位置検出手段（位置検出手段１６）と、前記筐体の動きを前記位置検出手段の出力に基づき解析して前記画像加工処理の実行命令を制御信号として生成する情報処理手段（情報処理手段１２）と、を備えたデジタルカメラ（デジタルカメラ１００）において、前記表示手段が、前記画像加工処理を前記筐体の動きで実行する際の画像加工の種類を示すアイコンを表示することを特徴とする。
【０００７】
この構成によれば、カメラ本体に付属したＬＣＤなどの表示手段に、例えばトリミングを表す「はさみ」のアイコンや、拡大・縮小を表す「ルーペ」のアイコンなどが大きく表示することができるので、現在実行している画像加工処理の内容が常時容易に把握でき、処理の操作を間違わずに確実に実行することが可能となる。
【０００８】
請求項２に係る発明は、請求項１記載のデジタルカメラ（デジタルカメラ１００）と、前記デジタルカメラからの画像データや各種制御信号を受けるためのインターフェース手段（画像送受信手段２１）及び前記画像データを蓄積する蓄積手段（メモリ２３）を備えた外部装置（外部記録装置２００）と、前記外部装置に接続され前記画像データを表示するテレビ受像機などの外部表示装置（テレビ３００）と、を備えたことを特徴とする。
【０００９】
この構成によれば、撮影した画像をパソコンの介在なしで外部へ表示したり蓄積するデジタルカメラシステムを構成することができ、外部装置に接続された外部表示装置で画像の詳細を確認しながら画像加工処理を実行することが可能となり、しかもカメラ本体に付属したＬＣＤなどの表示手段には、画像加工処理の種類を示すアイコンだけを表示することが可能となるので、現在実行している内容が常時容易に把握でき、処理の操作を間違わずに確実に実行することが可能となる。例えば、トリミング処理では、外部表示手段に画像全体を表示させ、トリムを開始する位置を外部表示装置で確認しながらデジタルカメラ本体を操作し、処理を実行できる。
【００１０】
この構成によれば、外部記録装置に外部表示装置を接続することにより、画像の詳細を確認しながら画像加工処理を実行することが可能となり、しかもカメラ本体に付属したＬＣＤなどの表示手段には、画像加工処理の種類を示すアイコンだけを表示することが可能となるので、現在実行している内容が常時容易に把握でき、処理の操作を間違わずに確実に実行することが可能となる。例えば、トリミング処理では、外部表示手段に画像全体を表示させ、トリムを開始する位置を外部表示装置で確認しながらデジタルカメラ本体を操作し、処理を実行できる。
【００１１】
【発明の実施の形態】
以下、本発明における実施の形態について図面を用いて詳細に説明する。図１は本発明の実施の形態に係るデジタルカメラの内部構成を示すブロック図である。同図に示すように、このデジタルカメラ１００は、主としてレンズ１０、撮像手段１１、情報処理手段１２、記録手段１３、表示手段１４及び各種操作スイッチを含む入力手段１５、カメラ筐体の動きや傾きを検知する位置検出手段１６、画像送受信手段１７などから構成される。
【００１２】
撮像手段１１は撮像素子としてのＣＣＤを含み、レンズ１０及び図示しない絞り装置を介してＣＣＤの受光面に結像される被写体の光学像を電子画像信号に変換するブロックである。図示例のデジタルカメラ１００に搭載されているＣＣＤは、シャッタゲートパルスのタイミングによって各受光センサの電荷蓄積時間（シャッタースピード）を制御する、いわゆる電子シャッター機能を有している。
【００１３】
レンズ１０はズームレンズでもよいし、単焦点レンズでもよい。レンズ１０は図示せぬモータ（ズームモータやフォーカスモータ）を有するレンズ駆動装置によって駆動される。
【００１４】
情報処理手段１２は中央演算処理装置（ＣＰＵ）及び画像信号処理回路を含むブロックであり、デジタルカメラ１００の各回路を統括制御する処理部である。前記ＣＰＵは、入力手段１５からの入力信号や位置検出手段１６からの出力に応じて対応する動作の制御を行い、レンズ１０のズーミング動作や自動焦点調節（ＡＦ）動作の制御、自動露出調節（ＡＥ）制御、および画像データの外部記録装置への送信、画像の加工・編集処理の実行等を行う。画像信号処理回路は前記ＣＰＵの指令に従って、前記撮像手段１１から出力される画像信号を取り込み、その受入した画像信号に基づいて色分離、ゲイン調整、Ａ／Ｄ変換等の所定の処理を行うとともに、輝度信号（Ｙ信号）及び色差信号（Ｃ信号）の生成、ガンマ補正処理、圧縮処理その他の信号処理を行う。
【００１５】
撮像手段１１から得られる画像信号は、画像信号処理回路において所定の処理が施され、撮影された被写体像を示す電子画像データに変換される。こうして得られた画像データは記録手段１３によって本体内蔵メモリに記録される。なお、本体内蔵メモリの代わりに着脱可能な記録媒体、例えば、スマートメディアと呼ばれるカード型ＩＣメモリなどを用いてもよい。記録媒体はメモリカードに限らず、ＰＣカード、磁気ディスク、光磁気ディスク、メモリスティックなど種々の形態が可能である。記録手段１３は使用される記録媒体の種類に対応した読み書き装置で構成される。
【００１６】
表示手段１４は、例えば、液晶ディスプレイ（ＬＣＤ）で構成される。液晶ディスプレイに代えて、有機ＥＬディスプレイその他の平面ディスプレイを用いることもできる。表示手段１４には、本体内蔵メモリから読み出された再生画像の他に、画像の加工や編集処理の種類を示すアイコンが表示される。また、デジタルカメラ１００のモード設定その他の各種設定・選択操作に必要なメニューや選択項目、メモリカードの残記憶容量表示、撮影可能画像数、再生画像のコマ番号、電池の残量等のカメラ機能に関連する情報も表示される。
【００１７】
位置検出手段１６は、操作者がカメラ筐体を動かしたり傾けたりすることで、各種操作の選択や実行が可能になるもので、各種ボタンやスイッチ類による入力を補助する機能を有する。位置検出手段１６により、操作者はより直感的に操作を実行することが可能となる。本実施形態では位置検出手段１６に加速度センサを使用する。具体的には、３次元座標系のＸ、Ｙ、Ｚの各軸方向に加速度センサを配置し、３個のセンサからの出力信号に応じて情報処理手段１２で移動量や回転角度を算出する。
【００１８】
画像送受信手段１７は、記録手段１３に記録された画像データを所定の方式で外部の記録手段に転送したり、外部の記録手段との制御信号の送受信を行い、外部機器とのインターフェースとして機能する。本実施形態では画像データの伝送媒体として無線を使用し、制御信号の送受信として赤外線を使用するため、画像送受信手段１７と後述の外部記録装置の画像送受信手段２１には、画像データおよび制御信号の送受信部を備えている。なお、本実施形態では無線による画像データ転送としているが、有線によるデータ転送としてもかまわない。さらに、メモリカード等の記憶メディアを介して画像データを転送するようにしてもよい。
【００１９】
次に、図２は本発明の実施の形態に係るデジタルカメラシステムのブロック構成図である。デジタルカメラ１００の内部構成は図１で示した通りであるので図示を省略する。デジタルカメラ１００から送信される画像データは外部記録装置２００が受信して記録する。外部記録装置２００は主として、画像データの受信や各種制御信号の送受信を行う画像送受信手段２１、各種制御信号の命令を受けて外部記録装置２００の各部の動作を制御する制御手段２２、画像データを記録するメモリ２３、外部モニタあるいは一般のテレビに接続して画像データを表示するための表示用インターフェース２４、画像を印刷する印刷手段２５などから構成される。
【００２０】
外部記録装置２００は、表示用インターフェース２４に外部モニタあるいは一般のテレビ３００を接続することで、メモリに記録された画像データを表示することが可能である。また、印刷手段２５でメモリ内に格納された画像データをプリントすることが可能である。
【００２１】
次に、図３に本実施形態におけるデジタルカメラの外観略図を示す。デジタルカメラ１００は、筐体３１、電源スイッチ３２、光学ファインダー３３、撮影レンズ３４、シャッターボタン３５、補助光発光部３６、ディスプレイ３７、機能ボタン３８、メニュースイッチ（十字スイッチ）３９、リセットボタン４０、実行／画面切り替えスイッチ４１、赤外線送受信部４２、などで構成されている。
【００２２】
次に、本発明の実施の形態に係るデジタルカメラおよびデジタルカメラシステムの動作について図４のフローチャートを用いて説明する。デジタルカメラ１００で撮影した画像データはカメラ本体内に保存されている。任意の時点で、撮影した画像データをデジタルカメラ１００の表示手段１４（ＬＣＤ）に表示させ、加工処理を行いたい画像を選択する（ステップＳ１０１）。画像を選択したら、選択した画像を外部記録装置２００に転送するために、デジタルカメラ１００を画像加工処理モードにする（ステップＳ１０２）。本実施形態では、画像加工処理モードに変更する操作を図５に示すように、デジタルカメラ１００の機能ボタン３８を押しながらデジタルカメラ１００の右側を支点として下方向に４５度以上傾けるようにしている。この動きを、位置検出手段１６が画像加工処理モードのＯＮ操作として検出すると、表示手段１４に表示している画像データが記録手段１３から画像送受信手段１７を介して外部記録装置２００に向けて転送される（ステップＳ１０３）。
【００２３】
外部記録装置２００は画像データを受信し（ステップＳ１０４）、メモリ２３に保存する（ステップＳ１０５）。データが転送された時点でデジタルカメラ１００の表示手段１４には画像加工処理のアイコンが表示される（ステップＳ１０６）。また、外部記録装置２００に接続されたテレビ３００には選択した画像データの画像が表示される（ステップＳ１０７）。デジタルカメラ１００の機能ボタン３８を押すと、トリミングを表す「はさみ」のアイコンや、拡大・縮小を表す「ルーペ」のアイコンが順番に表示されるので、所望の画像加工処理を選択する（ステップＳ１０８）。例としてトリミングのアイコンの表示例を図６に示す。以降、選択した画像加工処理が行われる（ステップＳ１０９）が、処理の過程においてその画像が外部記録装置２００に接続されたテレビ３００に表示される（ステップＳ１１０）ので、表示を確認しながら処理を実行することができる。
【００２４】
次に、画像加工処理の詳細ステップについて、ここではトリミングを例に図７のフローチャートと、外部記録装置２００に接続したテレビ３００に表示される画面の表示例（図８）を用いて説明する。
【００２５】
デジタルカメラ１００の表示手段１４に「はさみ」のアイコンが表示されるとトリミングの処理モードになる（ステップＳ２００）。この時点で、外部記録装置２００に接続されたテレビ３００に表示されている画像に、トリミングの開始位置を示す矢印が表示される（ステップS２０１）。この矢印を移動させてトリミング開始位置を選択する（ステップＳ２０２）。デジタルカメラ１００のメニュースイッチ（十字スイッチ）３９の上下を押すと、押下時間に応じた制御信号が画像送受信手段１７経由で外部記録装置２００に向けて送信される。外部記録装置２００の制御手段２２は、画像送受信手段２１で受信した制御信号に応じてこの矢印を上下に動かす表示を行う。このように、テレビ３００の矢印の移動表示を確認しながら（ステップＳ２０３）、デジタルカメラ側の操作でトリミングの開始位置を上下に移動させることが可能である（図８（ａ））。同様に、メニュースイッチ（十字スイッチ）３９の左右を押すと矢印は画像の上辺に移動し、画像を縦にトリムすることが可能となる（図８（ｂ））。この際もトリミングの開始位置を左右に動かすことが可能である。
【００２６】
適切な位置にトリミング開始位置の矢印を動かし、機能ボタン３８を押してトリミングの開始位置を決定する（ステップＳ２０４）。
【００２７】
機能ボタン３８が押されると自動的にトリミングの実行モードに入る（ステップＳ２０５）ので、直線や曲線、円弧などの任意の形状でトリミングを行う。この操作は、操作者が手に持ったデジタルカメラ１００の送信部をテレビ３００側に向け、実際に画面をトリムするように動かしながら行う。
【００２８】
カメラの動かし方の例を図９に示す。図のように、操作者はテレビ３００に向かってカメラを持ち、各方向にカメラを動かす。カメラ筐体の動きや傾きは位置検出手段１６に検出される。操作者の手は微妙に動くので、トリミングの操作とそれ以外の動きを区別するため、トリミング操作は機能ボタン３８を押しながらカメラを動かす（ステップＳ２０６）。デジタルカメラ１００の位置検出手段１６は、実行ボタンを押された時点以降の加速度センサからの出力信号を検知し（ステップＳ２０７）、情報処理手段１２に出力する。
【００２９】
情報処理手段１２は出力信号をもとに、カメラ筐体が３次元座標系でどちらの方向に移動したかを解析し、矢印の移動量、移動方向を算出する（ステップＳ２０８）。この結果を画像送受信手段１７経由で外部記録装置２００に向けて送信する。外部記録装置２００の画像送受信手段２１は移動データを受信し、制御手段２２は移動データに応じて矢印の位置を変更し、テレビ３００に表示させる（ステップＳ２０９）。このトリミングの途中の画像表示は、図８（ｃ）のように、実際に紙を切っているようなイメージ表示とし、トリミングの状況が感覚的に把握できるようにすることが好ましい。
【００３０】
操作者は、トリミングが終了するまでデジタルカメラ１００を動かし、ステップＳ２０６からステップＳ２０９までの手順を繰り返す。矢印の移動が終了すると（ステップＳ２１０）、外部記録装置２００のスピーカ（ブロック図では図示省略）から「シュッ」という紙を切ったような擬音を発し（ステップＳ２１１）、トリミングが終了したことを音声で効果的に告知するようにすることが好ましい。次にトリミング後の画像がテレビ３００に表示される（ステップＳ２１２）。画像を確認し（ステップＳ２１３）、やり直しをしたい場合はリセットする（ステップＳ２１４）。トリミングを確定する場合はステップＳ２１５に進み、続いて別のトリミングを実行するかを決定する。トリミングの繰り返しを行う場合は、ステップＳ２００に戻って再度同様の手順を繰り返す。
【００３１】
任意回数のトリミングを繰り返した後、処理の確定を判断し（ステップＳ２１６）、確定する場合はトリミング加工処理を終了する（ステップＳ２１７）。確定しない場合は、図４の「Ａ」で示すステップに戻って再度画像加工処理の選択からやり直しを行う。
【００３２】
次に、再び図４に戻り、画像加工処理（ステップＳ１０９）終了後の手順について説明する。上記の例でトリミング加工処理が終了すると、加工処理終了後の画像がテレビ３００に表示され（ステップＳ１１０）、これまでに行った加工処理を確定するかどうかを確認する表示が行われる（ステップＳ１１１）。この表示はデジタルカメラ１００の表示手段であるＬＣＤあるいは外部記録装置２００に接続したテレビ３００、またはその両方に表示してもかまわない。確定しない場合は、リセットボタン４０を押してステップＳ１０６に戻り、画像加工処理の選択からやり直しを行うことが可能である。確定する場合、機能ボタン３８を押せば処理後の画像が保存される（ステップＳ１１２）。この場合、処理前の画像データを消去しても、バックアップとして保存するように設定してもかまわない。
【００３３】
なお、本実施形態では加工処理を行う画像データをその都度外部記録装置２００に転送する形式としたが、記録手段１３に保存された画像データを予め外部記録装置２００にすべて転送しておき、デジタルカメラ１００を操作して、外部表示手段に画像を表示させながら検索して、加工処理を実行する画像を選択するようにしてもよい。その際、メモリ２３に保存する画像データは、テーマ別にホルダを設け、検索しやすいように分類しておくことが好ましい。この形式における画像データの保存および画像加工処理のフローチャートを図１０に示す。デジタルカメラ１００は、記録手段１３に保存された画像データを、画像送受信手段１７を経由して外部記録装置２００に送信する（ステップＳ３０１）。外部記録装置２００は画像データを受信して（ステップＳ３０２）、メモリ２３に保存する（ステップＳ３０３）。
【００３４】
次に、任意の時点で転送済みの画像の加工処理を行う場合、デジタルカメラ１００のメニュースイッチ３９で外部記録装置２００の画像検索のメニューを選択し、加工処理を行う画像の検索を行う（ステップＳ３０４）。その際、外部記録装置２００に接続されたテレビ３００には、画像が格納されたホルダをアイコンなどでイメージ表示させ、メニュースイッチである十字スイッチ３９の上下、左右を押下して画像を検索するようにしてもかまわない。検察した画像データの画像はテレビ３００に表示される（ステップＳ３０５）。所定の画像を選択する場合、機能ボタン３８を押して処理実行の確定を行う（ステップＳ３０６）。機能ボタン３８を押すと自動的に画像加工モードになる（ステップＳ３０７）。以降の手順は、図４のフローチャートの「Ａ」で示す箇所以降の流れに合流し、同様であるので説明を省略する。
【００３５】
また、本実施形態では各種加工・編集処理の種類をアイコンで表示する構成としたが、例えば「カット」、「拡大」、「縮小」などのように文字で表示するようにしてもかまわない。
【００３６】
さらに、本実施形態ではデジタルカメラ１００の記録手段１３から画像データを外部記録装置２００に転送する際、記録手段１３の該当画像データは消去される方式としている。これは、消去によりデジタルカメラ内のメモリの空き容量を増やし撮影可能枚数を増加させるためであるが、バックアップとして消去しない方式にしてもかまわない。特にメモリカードなどのように着脱可能な記録媒体の場合は、媒体を入れ替えることで撮影可能枚数を増やすことができるので、どちらの方式も採用可能である。
【００３７】
また、本実施形態では、位置検出手段１６でカメラの動きを検出し、確定の操作や表示移動の操作を行う構成としたが、カメラ本体の各種ボタン類、十字スイッチなどでも同等の操作が行えるようになっていることは言うまでもない。
【００３８】
なお、本実施形態では画像データを一旦外部記憶装置に転送してから加工・編集処理を行う構成としたが、例えば外出先などで近くに外部記録装置やテレビがない場合などには、画像データを転送せずに、デジタルカメラ本体のディスプレイを見ながら加工・編集処理を行うことももちろん可能である。その際の画面表示例を図１１に示す。図１１はデジタルカメラのディスプレイの表示画面を示した模式図で、選択した画像のトリミングを行うモードとなっている。この場合もトリミングのモードを示す「はさみ」のイラストのアイコンが画面右上に表示されているので、トリミングの実行モードであることが容易に識別できる。また、画面の左側に小さな矢印が点滅表示され、トリム（縁のカット）の開始位置を示している。操作者はＬＣＤを見ながらカメラ筐体を移動させるか、十字スイッチ３９で矢印を移動してトリムの開始位置を決定し、その後同様にカメラ筐体を移動させるか、十字スイッチ３９を操作して画像のトリムを行う。トリミングが終了すると終了後の画像がディスプレイに自動表示される。実行後の表示を見て、トリミングをはじめからやり直したい場合は、カメラ筐体を傾けると実行したトリミング操作がクリアされ、最初の画像が再度表示される。完了の場合は、機能ボタン３８を押す。画像データの保存方法を問う表示が現れるので、上書き保存するか、別名で新たに画像ファイルを作成するかを選択して保存を完了する。
【００３９】
【発明の効果】
本発明のデジタルカメラによれば、画像加工処理の種類を示すアイコンがカメラの表示手段に表示されるので、操作者は実行しようとする処理の内容を容易に把握できる。しかも、各種スイッチによる操作に代えてカメラ筐体の動きで画像加工処理を実行できるので、表示された加工処理ツール（例えばトリミングの「はさみ」）を持って実際に画像加工処理を行っているような感覚での操作が可能である。このように画像加工処理が直感的に容易に行えるので、従来のように煩雑な処理操作を覚える必要がない。
【００４０】
また、本発明のデジタルカメラシステムにあっては、画像加工処理のための専用パソコンを必要とせず、パソコン操作に不慣れな操作者にも手軽に画像加工が行える。さらに、パソコン用のソフトウェアや、パソコンとデジタルカメラ本体を接続するケーブル類なども不要であるため、それらの有無によって画像加工処理の可否が限定されるといった制限も発生しない。
【図面の簡単な説明】
【図１】本発明の一実施の形態におけるデジタルカメラについて内部構成を示したブロック図である。
【図２】本発明の一実施の形態におけるデジタルカメラシステムのブロック図である。
【図３】本発明の一実施の形態におけるデジタルカメラの外観略図である。
【図４】本発明の一実施の形態におけるデジタルカメラおよびデジタルカメラシステムの動作手順を示したフローチャートである。
【図５】本発明の一実施の形態におけるデジタルカメラの操作例（画像の転送操作）を示した模式図である。
【図６】本発明の一実施の形態におけるデジタルカメラのＬＣＤへのアイコン表示例を示した模式図である。
【図７】本発明の一実施の形態におけるデジタルカメラおよびデジタルカメラシステムのトリミング処理における詳細ステップを示したフローチャートである。
【図８】本発明の一実施の形態におけるデジタルカメラおよびデジタルカメラシステムのトリミング処理における画面表示例を示した模式図である。
【図９】本発明の一実施の形態におけるデジタルカメラの操作例（トリミングの実行操作）を示した模式図である。
【図１０】本発明の一実施の形態におけるデジタルカメラおよびデジタルカメラシステムのトリミング処理における第２の詳細ステップを示したフローチャートである。
【図１１】本発明の一実施の形態におけるデジタルカメラのＬＣＤを使用して画像加工処理を行う場合の表示例を示した模式図である。
【符号の説明】
１２  情報処理手段
１３  記録手段
１４  表示手段
１６  位置検出手段
１７  画像送受信手段
２１  外部記録装置の画像送受信手段
２２  制御手段
２３  メモリ
２４  表示用インターフェース
３７  ディスプレイ
３８  機能ボタン
３９  メニュースイッチ（十字スイッチ）
４０  リセットボタン
４２  赤外線送受信部
１００  デジタルカメラ
２００  外部記録装置
３００  テレビ
【図１】
0004159270.tif 000002
【図２】
0004159270.tif 000003
【図３】
0004159270.tif 000004
【図４】
0004159270.tif 000005
【図５】
0004159270.tif 000006
【図６】
0004159270.tif 000007
【図７】
0004159270.tif 000008
【図８】
0004159270.tif 000009
【図９】
0004159270.tif 000010
【図１０】
0004159270.tif 000011
【図１１】
0004159270.tif 000012